(57)【要約】      （修正有）【課題】凹凸のある階段に平坦な傾斜面を形成し、この平坦な傾斜面を、ペット歩行用あるいは荷物ガイド用とすることにより、ペットや作業者が階段を上り下りする際の衝撃を軽減する階段用スロープを提供する。【解決手段】建物に設けられた階段１に沿って設けられる階段用スロープ５であって、前記階段の幅方向の一側部において、この階段の上部を、所定幅の範囲で、かつ、前記階段の下端部から上端部に至る全長にわたって覆うように配置されるスロープボード６を備え、このスロープボードと前記建物との間に、前記スロープボードの位置ずれを防止するための係止手段７が設けられていることを特徴とする。【選択図】図１
0003197568.tif 000002
【実用新案登録請求の範囲】
【請求項１】
建物に設けられた階段に沿って設けられる階段用スロープであって、前記階段の幅方向の一側部において、この階段の上部を、所定幅の範囲で、かつ、前記階段の下端部から上端部に至る全長にわたって覆うように配置されるスロープボードを備え、このスロープボードと前記建物との間に、前記スロープボードの位置ずれを防止するための係止手段が設けられていることを特徴とする階段用スロープ。
【請求項２】
前記スロープボードの上端面が、前記階段の最上段の面に連続するように形成されていることを特徴とする請求項１に記載の階段用スロープ。
【請求項３】
前記スロープボードの下端面が、前記建物の、前記階段の最下段が立ち上げられた面と略平行となるように形成されていることを特徴とする請求項１または請求項２に記載の階段用スロープ。
【請求項４】
前記スロープボードの表面に滑り止めシートが装着されていることを特徴とする請求項１ないし請求項３の何れかに記載の階段用スロープ。
【請求項５】
前記スロープボードの側縁部に、前記スロープボードの表面から所定高さ突出させられた落下防止柵が、前記スロープボードの長さ方向全長にわたって設けられていることを特徴とする請求項１ないし請求項４の何れかに記載の階段用スロープ。
【請求項６】
前記係止手段が、前記スロープボードの下端部と前記建物との間に介装された蝶番であることを特徴とする請求項１ないし請求項５の何れかに記載の階段用スロープ。
【請求項７】
前記係止手段が、前記スロープボードの側縁部と前記建物の壁部とを連結する連結金物であることを特徴とする請求項１ないし請求項５の何れかに記載の階段用スロープ。
【請求項８】
前記係止手段が、前記スロープボードの下端部および上端部に連設され、前記建物の下階の床面および上階の床面にそれぞれ載置される係止板であることを特徴とする請求項１ないし請求項５の何れかに記載の階段用スロープ。
【請求項９】
前記階段が平面視で屈曲して形成されて、その屈曲部に踊り場が設けられてなり、この踊り場に、その上方に間隔をおいて連結ボードが設置され、この連結ボードに、前記踊り場から下方に伸びる階段を覆って設けられるスロープボードと、前記踊り場から上方に伸びる階段を覆って設けられるスロープボードがそれぞれ連結されており、かつ、前記連結ボードと前記踊り場との間、および、各スロープボードと各階段との間に、これらの間隔を保持する支持手段が設けられていることを特徴とする請求項１ないし請求項８の何れかに記載の階段用スロープ。
【請求項１０】
前記スロープボードが、複数のボード構成体を、その長さ方向に相互に摺動可能に嵌合して構成されていることを特徴とする請求項１ないし請求項９の何れかに記載の階段用スロープ。
【考案の詳細な説明】
【技術分野】
【０００１】
本考案は、階段用スロープに関わり、特に、建物の階段に設けられる階段用スロープに関するものである。
【背景技術】
【０００２】
従来、たとえば、ペットを飼育する環境にあっては、ペットが家具や遊具に上り下りする際の補助具として、あるいは、荷物の上げ下げ等のために階段用スロープが用いられている。
【０００３】
このような階段用スロープとして、たとえば、特許文献１に示されるように、支持板にスロープ板を揺動可能に連結しておき、前記スロープ板の揺動角度を調整して、このスロープ板の揺動端部の高さを、家具や遊具の高さに合わせるとともに、このスロープ板を前記家具や遊具に沿わせるように設置して使用するようになっている。
【先行技術文献】
【特許文献】
【０００４】
【特許文献１】実用新案登録第３１６２７４１号公報
【考案の概要】
【考案が解決しようとする課題】
【０００５】
前述した従来の階段用スロープは、家具や遊具といった比較的低い場所への上り下りを補助するものである。
また、家具や遊具の垂直な側面に沿って設置されることにより、この垂直な側面を緩やかな斜面に変換するようにしたものである。
【０００６】
しかしながら、建物には、前述した家具や遊具よりも高い位置への移動のために、階段等の昇降手段が設けられており、当然、ペットも前記階段を上り下りする。
【０００７】
ここで、ペットは、前述した階段を上り下りする際、階段の蹴上げの高さ分、垂直方向に飛躍若しくは降下しなければならない。
そのために、階段の上り下りの都度、足の関節や腰などに衝撃が加わり、ペットにとって好ましくない現象が生じる。
また、荷物等の上げ下ろしに際しては、荷物を持ったまま、階段の昇降を行なわなければならず、膝への負担が大きい。
【０００８】
このような不具合を解消しようとして、従来の階段用スロープを用いようとした場合、鉛直面に沿わせるようにして用いられる構造上、全体として傾斜した階段への適用が困難である。
また、前述したスロープ板を、前記階段の蹴上げに沿うように設置して、上下の踏面間に傾斜面を形成することは可能であるが、そのためには、階段の段数分の階段用スロープを設置しなければならない。
【０００９】
本考案は、前述した従来の技術において残されている問題点を解決せんとしてなされたもので、階段状の斜面に連続した傾斜面を容易に形成することのできる階段用スロープを提供することを課題とする。
【課題を解決するための手段】
【００１０】
本考案の階段用スロープは、前述した課題を解決するために、建物に設けられた階段に沿って設けられる階段用スロープであって、前記階段の幅方向の一側部において、この階段の上部を、所定幅の範囲で、かつ、前記階段の下端部から上端部に至る全長にわたって覆うように配置されるスロープボードを備え、このスロープボードと前記建物との間に、前記スロープボードの位置ずれを防止するための係止手段が設けられていることを特徴とする。
【００１１】
このような構成とすることにより、前記スロープボードにより、前記階段の踏面間に形成される凹部を塞いで、前記階段の最上段の面と前記階段が立ち上げられた建物の面（たとえば床面）との間に連続した傾斜面を形成することができる。
【００１２】
ペットは、前述したように配置されたスロープボード上を行き来することにより、前記階段部分の上り下りを行なう。
【００１３】
ここで、前記ペットの歩行面が、前記スロープボードによって、角度が一定な傾斜面となされていることから、前記ペットは、一定した姿勢を保ちつつ上り下りを行なうことができ、階段の上り下りの際に生じる衝撃力が大幅に緩和される。
また、荷物の上げ下げの際には、この荷物を前記スロープボード上を滑らせるようにして上げ下げすることができ、作業者への負荷を軽減しつつ荷物の上げ下げの作業を行なうことができる。
【００１４】
そして、前記スロープボードは、前記係止手段によって前記建物に対する位置ずれが防止されていることにより、前述したペットの歩行時においても安定した状態に保持される。
これによって、ペットの歩行がより安定したものとなり、足腰にかかる無理な力が軽減されて、ペットの健康維持が図られる。
【００１５】
本考案においては、前記スロープボードの上端面を、前記階段の最上段の面に連続させておくことが好ましい。
【００１６】
これは、歩行面となる前記スロープボードの上面と、前記階段の最上段の面とを滑らかかに連続させて、前記スロープボードから前記最上段の面への乗り移りを円滑なものとするためである。
【００１７】
具体的には、前記スロープボードの上端部を、水平面に沿うように切り込むことで実現でき、これによって、前記スリープボードの上面と上端面との挾角を広げて、前記スロープボードの上面から前記階段の最上段の面に至る連結部を滑らかなものとすることができる。
【００１８】
また、前記スロープボードの下端面を、前記建物の、前記階段の最下段が立ち上げられた面と略平行となるように形成することが好ましい。
【００１９】
このような構成とすることにより、前記スロープボードの下端と、建物の前記階段の最下段が立ち上げられた面とを、極力面接触させるためであり、この面接触により、前記スロープボードの収まりをよくするとともに、前記階段の最下段が立ち上げられた面との滑りを極力抑制するためである。
【００２０】
一方、前記スロープボードの表面に滑り止めシートを装着することにより、このスロープボード上を歩行するペットの足の滑りを抑制して、その歩行を容易にすることもできる。
【００２１】
また、前記スロープボードの側縁部に、前記スロープボードの表面から所定高さ突出させられた落下防止柵を、前記スロープボードの長さ方向全長にわたって設けておき、階段部分を上り下りするペットの踏み外しを防止するようにしてもよい。
【００２２】
また、前記係止手段として、蝶番を用い、この蝶番を、前記スロープボードの下端部と前記建物との間に介装することによって前記スロープボードの位置づれを防止するようにすることができる。
【００２３】
このような構成とすることにより、前記スロープボードの、前記建物に対する角度を調整することが可能となって、このスロープボードが設置される階段の傾斜に容易に対応させることができる。
【００２４】
さらに、前記係止手段を、前記スロープボードの側縁部と前記建物の壁部とを連結する連結金物とすることにより、前記スロープボードの幅方向への動きを拘束して、このスロープボードをより安定した状態で設置することができる。
【００２５】
さらに、前記係止手段を、前記スロープボードの下端部および上端部に連設され、前記建物の下階の床面および上階の床面にそれぞれ載置される係止板とすることにより、前記スロープボードの両端部を、前記建物の床面に広い面積で接触させて、前記スロープボードの滑りを抑制することができる。
【００２６】
一方、前記階段が平面視で屈曲して形成されて、その屈曲部に踊り場が設けられた構成である場合、この踊り場に、その上方に間隔をおいて連結ボードを設置し、この連結ボードに、前記踊り場から下方に伸びる階段を覆って設けられるスロープボードと、前記踊り場から上方に伸びる階段を覆って設けられるスロープボードをそれぞれ連結し、かつ、前記連結ボードと前記踊り場との間、および、各スロープボードと各階段との間に、これらの間隔を保持する支持手段を設けることによって、前述した屈曲形状の階段への適用が可能となる。
【００２７】
また、前記スロープボードを、複数のボード構成体を、その長さ方向に相互に摺動可能に嵌合して構成することもできる。
【００２８】
このような構成とすることにより、前記複数のボード構成体の重畳長さを調整することにより、前記スロープボードの長さを、前記階段の高さに合わせることができ、その汎用性を高めることができる。
【考案の効果】
【００２９】
本考案の階段用スロープによれば、凹凸のある階段に平坦な傾斜面を形成し、この平坦な傾斜面を、ペット歩行面や荷物のガイド面とすることにより、階段を上り下りする際の、ペットや作業者へ作用する衝撃を軽減することができる。
【図面の簡単な説明】
【００３０】
【図１】本考案の第１実施形態が適用された階段の斜視図である。
【図２】本考案の第１実施形態が適用された階段の縦断面図である。
【図３】本考案の第２実施形態が適用された階段の斜視図である。
【図４】本考案の第２実施形態が適用された階段の縦断面図である。
【図５】本考案の第３実施形態が適用された階段の斜視図である。
【図６】本考案の第３実施形態が適用された階段の縦断面図である。
【図７】本考案の第３実施形態の平面図である。
【図８】本考案の第３実施形態に用いられる支持手段の側面図である。
【図９】本考案の第３実施形態に用いられる支持手段の変形例を示す側面図である。
【図１０】本考案の第４実施形態が適用された階段の縦断面図である。
【図１１】本考案の第５実施形態が適用された階段の縦断面図である。
【図１２】本考案の第５実施形態を示すもので、図１１におけるＸ−Ｘ線断面図である。
【考案を実施するための形態】
【００３１】
以下、本考案の第１実施形態を図１および図２を参照して説明する。
これらの図において、符号１は、屋内に設置された直線状の階段を示し、下階の床面２と上階の床面３との間で、かつ、前記床面２に立設された壁４に沿うように設置されている。
【００３２】
そして、前記階段１の上部で、前記壁４寄りの端部に、本実施形態に係わる階段用スロープ５が設けられている。
【００３３】
この階段用スロープ５は、長尺な平板によって所定の幅と長さに形成されたスロープボード６と、このスロープボード６の固定をなす係止手段７とによって構成されている。
【００３４】
前記スロープボード６は、前記階段１の幅方向の一端部を、前記階段１の長さ方向に覆って配設され、その下面が、前記階段１の蹴上げ１ａと踏面１ｂとが交差する角部に接触することにより、前記階段１に支持されている。
【００３５】
そして、前記スロープボード６の下端部６ａは、このスロープボード６が前記階段１を覆って配置された状態において、前記建物の下階の床面２と平行な面に形成され、また、上端部６ｂは、前記上階の床面３と略同一面上に位置する面となされている。
【００３６】
また、前記スロープボード６は、その一側縁が、前記壁４に当接するように配設されている。
【００３７】
このように配設される前記スロープボード６は、その下端部６ａにおいて、前記下階の床面２に面接触させられており、この下端部６ａにおいて、前記下階の床面２に前記係止手段７によって連結されている。
【００３８】
前記係止手段７は、本実施形態においては蝶番が用いられ、前記スロープボード６の下端部に形成されている凹部８内に収容された状態で、前記スロープボード６の下端部６ａと前記下階の床面２とに固定されている。
【００３９】
したがって、前記スロープボード６は、その下端部６ａにおいて、前記係止部材７を中心として、前記下階の床面２に回動可能に支持され、かつ、前記階段１を覆うように当接させた状態において、その上端部６ｂが、前記上階の床面３と略連続させられた状態に保持される。
【００４０】
さらに、本実施形態においては、前記スロープボード６の下面で、前記壁４側の側縁には、この側縁を前記壁４に固定するためのＬ型金物からなる係止手段９が複数設けられており、これらの係止手段９によって前記スロープボード６の幅方向への動きが拘束されている。
【００４１】
以上のようにして、前記スロープボード６が前記階段１に取り付けられることによって、本実施形態に係わる階段用スロープ５が形成される。
【００４２】
このように階段用スロープ５が形成された階段１にあっては、人は、露出されている階段１を使った上り下りが可能であり、ペットは、前記スロープボード６を使った登りが可能となる。
【００４３】
そして、ペットにあっては、前記スロープボード６によって形成されている平面上の傾斜面を使って上り下りすることとなる。
したがって、ペットは、飛躍したり飛び降りたりすることなく、通常歩行で上り下りすることができ、その負担が大きく軽減される。
【００４４】
一方、本実施形態においては、前記係止手段７が前記スロープボード６の下端部に形成されている凹部８内に収納されていることから、この係止手段７の、前記スロープボード６表面からの突出量が少なく、また、前記スロープボード６の上端部６ａが、前記上階の床面３と略同一面となされていることから、前記階段１の上り下りの際に障害となる部分が極力少なく抑えられている。
したがって、安全な歩行が可能である。
【００４５】
図３および図４は、本考案の第２実施形態を示すもので、前記スロープボード６の、前記壁４側と反対側の側縁に、その長さ方向全長にわたって落下防止柵１０を設けたものである。
【００４６】
これによって、ペットのふらつき等によるスロープボード６からの落下を防止して、ペットの歩行時の安全性を高めることができる。
【００４７】
図５ないし図９は本考案の第３実施形態を示すもので、平面視で９０°に屈曲した階段２０に階段用スロープ２１を設ける形態である。
【００４８】
詳述すれば、屈曲された前記階段２０は、その屈曲部に踊り場２０ａが設けられており、この踊り場２０ａに、その上方に間隔をおいて連結ボード２２が設置され、この連結ボード２２に、前記踊り場２０ａから下方に伸びる階段を覆って設けられるスロープボード２３と、前記踊り場２０ａから上方に伸びる階段を覆って設けられるスロープボード２４がそれぞれ連結されており、かつ、前記連結ボード２２と前記踊り場２０ａとの間、および、各スロープボード２３・２４と各階段との間に、これらの間隔を保持する支持手段２５・２６が設けられた構成となっている。
【００４９】
そして、前記連結ボード２２と各スロープボード２３・２４とは、蝶番からなる連結手段２７によって相互に回動可能に連結されて、前記階段２０の傾斜に合わせて設置できるように構成されている。
【００５０】
前記連結ボード２２を支持する前記支持手段２５は、前記連結ボード２２を前記踊り場２０ａと平行に支持する必要があるために、図８（ａ）に示すような構成となっている。
【００５１】
すなわち、前記踊り場２０ａ上に載置される基板２５ａと、この基板２５ａに立設され内部にネジが形成された支持パイプ２５ｂと、一端部側において前記支持パイプ２５ｂに螺合され、他端部側に前記連結ボード２２の下面に当接される支持板２５ｃが一体に取り付けられた昇降ボルト２５ｄと、この昇降ボルト２５ｄに螺合させられるとともに、前記支持パイプ２５ｂの端面に当接させられることにより、この支持パイプ２２ｂに前記昇降ボルト２５ｄとの固定をなす固定ナット２５ｅとによって構成されている。
【００５２】
前記各スロープボード２３・２４を支持する前記支持手段２６は、図９（ａ）に示すように、前述した支持手段２５と同様の、基板２６ａ、支持パイプ２６ｂ、支持板２６ｃ、昇降ボルト２６ｄ、および、固定ナット２６ｅを備え、前記支持板２６ｃが、前記昇降ボルト２６ｄの端部に球体継ぎ手２６ｆを介して連結された構成となっている。
【００５３】
したがって、前記支持手段２６は、水平な前記踏面に設置されるとともに、前記支持板２６ｃが、球体継ぎ手２６ｆによって揺動させられることに、傾斜させられている前記各スロープボード２３・２４の下面に面接触させられて、これらを支持するようになっている。
【００５４】
このような構成とすることにより、前記屈曲させられた階段２０の全長にわたって前記スロープボード２３・２４を配置して、前記階段２０の上部まで階段用スロープ２１を形成することができる。
【００５５】
図１０は、本考案の第４実施形態を示すものである。
本実施形態においては、前記係止手段を、前記スロープボード６の下端部および上端部に、前記建物の下階の床面２および上階の床面３にそれぞれ載置される係止板２８を連設することによって構成したものである。
【００５６】
このような構成とすることにより、前記両係止板２８と前記各床面２・３との大きな接触面により、前記スロープボード６の両端部に大きな摩擦力を作用させ、これによって、前記スロープボード６のずれを抑制することができる。
【００５７】
さらに、図１１および図１２は本考案の第５実施形態を示すもので、前記スロープボード６を、複数の（本実施形態においては２つの）ボード構成体２９・３０によって構成し、これらを長さ方向に相互に摺動可能に嵌合して構成したものである。
【００５８】
前記一対のボード構成体２９・３０は、その断面形状が、図１２（ａ）に示すように、一部が切り欠かれた箱形で相似形に形成され、一方のボード構成体２９内に他方のボード構成体３０が摺動自在に嵌合させられている。
【００５９】
また、それぞれのボード構成体２９・３０の切り欠かれた部位には、それぞれ、下方へ向けて固定用舌片２９ａ・３０ａが垂設されており、これらの固定用舌片２９ａ・３０ａは、図１１に示すように、前記階段１の踏面１ｂと蹴上げ１ａとで形成される空間部に位置させられるとともに、この位置において、前記建物の壁４に重畳させられるようになっている。
【００６０】
そして、前記一対のボード構成体２９・３０を、その長さ方向に摺動させることによって、前記階段１の高さに合わせてその長さを調整した後に、前記両固定用舌片２９ａ・３０ａを、前記壁４に釘若しくはビス３１等によって固定することによって、前記階段１に階段用スロープ５を形成することができる。
【００６１】
したがって、高さの異なる階段１へ、簡便な調整操作によって容易に階段スロープ５を形成することができる。
【００６２】
なお、前記各実施形態において示した各構成部材の諸形状や寸法等は一例であって、設計要求等に基づき種々変更可能である。
例えば、前記ボード構成体２９・３０の断面形状を、図１２（ｂ）に示すように、略コ字状の断面とすることもでき、また、図１２（ｃ）に示すように、断面形状を略Ｃ字状の断面形状とすることもでき、その断面形状は任意である。
【００６３】
そして、図１２（ｃ）に示す変形例においては、その固定のために、外側に位置させられるボード構成体２９の下部にＬ型金物からなるブラケット３２
を一体に設けておき、このブラケット３２を前記壁４に釘若しくはビス３１によって固定する。
【００６４】
また、前記支持手段２５を、図８（ｂ）に示すような構成とすることもできる。
すなわち、基板２５ｆに支持ボルト２５ｇを一体に立設し、この支持ボルト２５ｇに昇降用ナット２５ｈを螺合し、この昇降用ナット２５ｈ上に、前記支持ボルト２５ｇに上方から嵌合させられた昇降パイプ２５ｉを当接させ、この昇降パイプ２５ｉの上端に、支持板２５ｊを一体に装着し、さらに、前記昇降用ナット２５ｈに、一対の操作ハンドル２５ｋを一体に設けた構成となっている。
【００６５】
このような構成とすることにより、前記操作ハンドル２５ｋを操作して前記昇降用ナット２５ｈを回転させるとともに上下方向に移動させ、これによって、前記昇降用ナット２５ｈに当接させられている前記昇降用パイプ２５ｉを、前記支持板２５ｊとともに昇降させることができる。
【００６６】
さらに、前記支持手段２６を、図９（ｂ）に示すような構成とすることもできる。
すなわち、基板２６ｇにガイドパイプ２６ｈを一体に立設しておき、このガイドパイプ２６ｈに昇降ボルト２６ｉを嵌合させておき、この昇降ボルト２６ｉに、前記ガイドパイプ２６ｈの上端に当接させられる昇降用ナット２６ｊを螺合しておくとともに、前記昇降ボルト２６ｉの上端部に、支持板２６ｋを、水平方向を回転軸線として回動自在に装着した構成となっている。
【００６７】
そして、前記支持板２６ｋは、その下面に一体に装着された略コ字状のブラケット３３を、前記昇降ボルト２６ｉの上端部に、この昇降ボルト２６ｉを径方向に貫通して設けられるボルト３４およびこのボルト３４に螺合させられるナット３５によって回動自在に連結することによって、前記昇降ボルト２６ｉに装着されている。
【００６８】
また、前記昇降用ナット２６ｊには、一対の操作ハンドル２６ｌが一体に設けられている。
【００６９】
このような構成とすることにより、前記操作ハンドル２６ｌを操作して前記昇降用ナット２６ｊを回転させることにより、前記ガイドパイプ２６ｈを支持体として、前記昇降ボルト２６ｉが昇降させられる。
【００７０】
これによって、前記昇降ボルト２６ｉの上端に取り付けられている前記支持板２６ｋが昇降させられる。
【００７１】
また、前記支持板２６ｋは、その回動により、前記スロープボード６の下面に馴染まされる。
【符号の説明】
【００７２】
１  階段
１ａ  蹴上げ
１ｂ  踏面
２  下階の床面
３  上階の床面
４  壁
５  階段用スロープ
６  スロープボード
６ａ  下端部
６ｂ  上端部
７  係止手段
８  凹部
９  係止手段
１０  落下防止柵
２０  階段
２０ａ  踊り場
２１  階段用スロープ
２２  連結ボード
２３  スロープボード
２４  スロープボード
２５  支持手段
２５ａ  基板
２５ｂ  支持パイプ
２５ｃ  支持板
２５ｄ  昇降ボルト
２５ｅ  固定ナット
２５ｆ  基板
２５ｇ  支持ボルト
２５ｈ  昇降用ナット
２５ｉ  昇降パイプ
２５ｉ  支持板
２５ｋ  操作ハンドル
２６  支持手段
２６ａ  基板
２６ｂ  支持パイプ
２６ｃ  支持板
２６ｄ  昇降ボルト
２６ｅ  固定ナット
２６ｆ  球体継ぎ手
２６ｇ  基板
２６ｈ  ガイドパイプ
２６ｉ  昇降ボルト
２６ｊ  昇降用ナット
２６ｋ  支持板
２６ｌ  操作ハンドル
２７  連結手段
２８  係止板
２９  ボード構成体
３０  ボード構成体
３１  釘
３２  ブラケット
３３  ブラケット
３４  ボルト
３５  ナット
【図１】
0003197568.tif 000003
【図２】
0003197568.tif 000004
【図３】
0003197568.tif 000005
【図４】
0003197568.tif 000006
【図５】
0003197568.tif 000007
【図６】
0003197568.tif 000008
【図７】
0003197568.tif 000009
【図８】
0003197568.tif 000010
【図９】
0003197568.tif 000011
【図１０】
0003197568.tif 000012
【図１１】
0003197568.tif 000013
【図１２】
0003197568.tif 000014
【手続補正書】
【提出日】平成27年3月20日(2015.3.20)
【手続補正１】
【補正対象書類名】実用新案登録請求の範囲
【補正対象項目名】全文
【補正方法】変更
【補正の内容】
【実用新案登録請求の範囲】
【請求項１】
建物に設けられた階段に沿って設けられる階段用スロープであって、前記階段の幅方向の一側部において、この階段の上部を、所定幅の範囲で、かつ、前記階段の下端部から上端部に至る全長にわたって覆うように配置されるスロープボードを備え、このスロープボードと前記建物との間に、前記スロープボードの位置ずれを防止するための係止手段が設けられ、前記係止手段が、前記スロープボードの下端部と前記建物との間に介装された蝶番であることを特徴とする階段用スロープ。
【請求項２】
建物に設けられた階段に沿って設けられる階段用スロープであって、前記階段の幅方向の一側部において、この階段の上部を、所定幅の範囲で、かつ、前記階段の下端部から上端部に至る全長にわたって覆うように配置されるスロープボードを備え、このスロープボードと前記建物との間に、前記スロープボードの位置ずれを防止するための係止手段が設けられ、前記係止手段が、前記スロープボードの側縁部と前記建物の壁部とを連結する連結金物であることを特徴とする階段用スロープ。
【請求項３】
建物に設けられた階段に沿って設けられる階段用スロープであって、前記階段の幅方向の一側部において、この階段の上部を、所定幅の範囲で、かつ、前記階段の下端部から上端部に至る全長にわたって覆うように配置されるスロープボードを備え、このスロープボードと前記建物との間に、前記スロープボードの位置ずれを防止するための係止手段が設けられ、前記係止手段が、前記スロープボードの下端部および上端部に連設され、前記建物の下階の床面および上階の床面にそれぞれ載置される係止板であることを特徴とする階段用スロープ。
【請求項４】
前記スロープボードの上端面が、前記階段の最上段の面に連続するように形成されていることを特徴とする請求項１ないし請求項３の何れかに記載の階段用スロープ。
【請求項５】
前記スロープボードの下端面が、前記建物の、前記階段の最下段が立ち上げられた面と略平行となるように形成されていることを特徴とする請求項１ないし請求項４の何れかに記載の階段用スロープ。
【請求項６】
前記スロープボードの表面に滑り止めシートが装着されていることを特徴とする請求項１ないし請求項５の何れかに記載の階段用スロープ。
【請求項７】
前記スロープボードの側縁部に、前記スロープボードの表面から所定高さ突出させられた落下防止柵が、前記スロープボードの長さ方向全長にわたって設けられていることを特徴とする請求項１ないし請求項６の何れかに記載の階段用スロープ。
【請求項８】
前記階段が平面視で屈曲して形成されて、その屈曲部に踊り場が設けられてなり、この踊り場に、その上方に間隔をおいて連結ボードが設置され、この連結ボードに、前記踊り場から下方に伸びる階段を覆って設けられるスロープボードと、前記踊り場から上方に伸びる階段を覆って設けられるスロープボードがそれぞれ連結されており、かつ、前記連結ボードと前記踊り場との間、および、各スロープボードと各階段との間に、これらの間隔を保持する支持手段が設けられていることを特徴とする請求項１ないし請求項７の何れかに記載の階段用スロープ。
【請求項９】
前記スロープボードが、複数のボード構成体を、その長さ方向に相互に摺動可能に嵌合して構成されていることを特徴とする請求項１ないし請求項８の何れかに記載の階段用スロープ。